(57)【特許請求の範囲】
【請求項１】
便器の側方のトイレ壁面に設置される収納キャビネットであって、
該収納キャビネットは、棚板を備えた箱状の本体と、該本体の前面に当該収納キャビネットが設置されたトイレ壁面と略平行方向で、且つ便器側へスライド移動させて開閉できる扉が設けられ、
該扉の裏側に、該扉と一体で移動できるように収納籠が設けられている
ことを特徴とする収納キャビネット。
【請求項２】
前記本体には、前記扉の開く方向の側板の一部が切り欠かれて前記収納籠が出入り可能な籠収納部が形成されていることを特徴とする請求項１に記載の収納キャビネット。
【請求項３】
前記扉には、該扉が閉じられた状態で前記籠収納部を覆蓋し前記本体の側板と略面一となる扉側板が一体化されているとともに、該扉側板の籠収納部側に着脱可能に前記収納籠が取り付けられていることを特徴とする請求項２に記載の収納キャビネット。
【請求項４】
前記収納籠には蓋が設けられ、前記扉を開けた状態で前記蓋を本体側へ開閉できるように構成したことを特徴とする請求項１乃至請求項３何れかに記載の収納キャビネット。
【請求項５】
前記扉の下端には、前記本体の底板の下方へ水平に延びる扉底板が設けられ、
該扉底板の上面に設けたレールが、前記本体の底板下面に設けたレールにスライド可能に連結されていることを特徴とする請求項１乃至請求項４何れかに記載の収納キャビネット。
【請求項６】
前記扉の裏側に前記本体へ突出した振れ止め金具が設けられ、該振れ止め金具が、前記籠収納部の天井面を構成する棚板の下面に設けた突起に係合されていることを特徴とする請求項１乃至請求項５何れかに記載の収納キャビネット。
【発明の詳細な説明】
【技術分野】
【０００１】
本発明は、便器の側方に設置される収納キャビネットに関するものである。
【背景技術】
【０００２】
従来、特許文献１に開示されているように、引出しの扉の裏側にゴミ箱を設けて、引出しを手前側に引き出してゴミ箱内にゴミを入れることができるように構成したキッチンキャビネットのゴミ収納装置が存在する。
【特許文献１】特開２００７−４４１０６号公報
【発明の開示】
【発明が解決しようとする課題】
【０００３】
上記特許文献１に開示されている構造では、ゴミ箱内にゴミを入れるためには、引出しの扉を手前側に引き出す必要があり、このような構造のゴミ収納装置を便器の側方に設置すると、便器側方に十分なスペースが取れない場合は、便器に干渉して手前側に引き出すことができないという問題点があり、また、扉を引き出した状態ではゴミ箱が見えてしまい、ゴミ箱内に入れたゴミも、子供やお客に簡単に見られてしまうという問題点があった。
【課題を解決するための手段】
【０００４】
本発明は、便器の側方に設置した場合に、便器に干渉することなく良好に開閉させることができ、しかも収納籠が露出しない収納キャビネットを提供することを目的の１つとし、この目的の少なくとも一部を達成するために以下の手段を採った。
本発明は、便器の側方のトイレ壁面に設置される収納キャビネットであって、該収納キャビネットは、棚板を備えた箱状の本体と、該本体の前面に当該収納キャビネットが設置されたトイレ壁面と略平行方向で、且つ便器側へスライド移動させて開閉できる扉が設けられ、該扉の裏側に、該扉と一体で移動できるように収納籠が設けられていることを要旨とする。
【発明の効果】
【０００５】
便器に座ったままの状態で、収納キャビネットの扉を、箱状の本体に対し横方向にスライド移動させて開閉することができ、便器側方に十分なスペースが取れない場合においても良好に扉を開閉させることができ、扉を開けると収納籠が本体から横方向に便器側へ移動されるため、収納籠内に生理用品等のゴミを良好に入れることができ、しかも収納籠は扉の裏側に設けられているため見えにくく、子供やお客に収納籠内のゴミを見られることがない。
【０００６】
また、本発明の収納キャビネットにおいて、前記本体には、前記扉の開く方向の側板の一部が切り欠かれて前記収納籠が出入り可能に収納される籠収納部が形成されている構成とすることもできる。
こうすれば、扉を本体に対し閉じた時には、本体内の籠収納部内に収納籠が入り、完全に収納籠は本体内に隠され、扉を開くことで収納籠が横方向に本体の外側に移動されるため、便器に坐わりながら収納籠内にゴミを入れることができる。
【０００７】
また、本発明の収納キャビネットにおいて、前記扉には、該扉が閉じられた状態で前記籠収納部を覆蓋し前記本体の側板と略面一となる扉側板が一体化されているとともに、該扉側板の籠収納部側に着脱可能に前記収納籠が取り付けられている構成とすることもできる。
こうすれば、扉が閉じられた状態では、扉側に一体化されている扉側板が本体の側板と略面一となり、すっきりとした設置状態が得られるものとなり、扉側板に良好に収納籠を取り付けることができ、しかも収納籠が着脱可能であることにより、収納籠を取り外してゴミを良好に捨てることができるものとなる。
【０００８】
また、本発明の収納キャビネットにおいて、前記収納籠には蓋が設けられ、前記扉を開けた状態で前記蓋を本体側へ開閉できるように構成することもできる。
こうすれば、扉を開けた状態で収納籠の蓋を収納キャビネットの本体側へ開け、便器に座ったままの状態で収納籠の操作を容易に行うことができ、便器に座った状態で収納籠内に生理用品等のゴミを入れることができる。
【０００９】
また、本発明の収納キャビネットにおいて、前記扉の下端には、前記本体の底板の下方へ水平に延びる扉底板が設けられ、該扉底板の上面に設けたレールが、前記本体の底板下面に設けたレールにスライド可能に連結されている構成とすることもできる。
こうすれば、前面から見た時にレールが見えないものとなり、意匠性が向上し、しかもレールを介し扉を横方向に良好にスライドさせて開閉できるものとなる。
【００１０】
また、本発明の収納キャビネットにおいて、前記扉の裏側に前記本体へ突出した振れ止め金具が設けられ、該振れ止め金具が、前記籠収納部の天井面を構成する棚板の下面に設けた突起に係合されている構成とすることもできる。
こうすれば、扉に設けた振れ止め金具が本体側の突起に係合されて、扉が前側へ倒れることが良好に防がれ、扉を安定して横方向へスライド移動させることができる。
【発明を実施するための最良の形態】
【００１１】
次に、本発明を実施するための最良の形態を実施例を用いて説明する。
図１は、トイレ内に設置した収納キャビネットの配置構成図であり、図２は、収納キャビネットの拡大構成図である。
また、図３は収納キャビネットの扉を閉じた状態の外観斜視図であり、図４は扉を開いた状態の斜視図であり、図５は収納籠の蓋を開いた状態の斜視図であり、図６は収納籠を取り外した状態の斜視図である。
【００１２】
図において、トイレ内には便器１が設置され、この便器１の後方の壁面Ｗａにはロータンクを内部に収納したタンクキャビネット２が設けられており、タンクキャビネット２の上面にはカウンター３が設けられている。このカウンター３と直交する壁面Ｗｂに沿ってカウンター４が設けられ、このカウンター４の下面にペーパーホルダー５が設けられて、カウンター４上には手摺り９が立設されている。
また、カウンター４の先端側には、手洗い器７を上面に備えた手洗いキャビネット６が設置されており、手洗い器７の上方の壁面には鏡８が設けられている。
【００１３】
この手洗いキャビネット６の側方には、収納キャビネット１０がカウンター４の下方に設置されており、収納キャビネット１０は便器１の図示右側前方に配置されている。
この収納キャビネット１０は、下面に設置されたケコミ６ａの高さだけ床面から浮き上がった状態で壁面Ｗｂに固定されており、収納キャビネット１０の本体１１に対し、その前面に設けられている扉１２を、トイレ壁面Ｗｂと略平行方向で、且つ便器１側へスライド移動させて開閉できるように構成されている。
【００１４】
図３は、本体１１の前面の扉１２を閉じた状態であり、図４のように、扉１２をカウンター３側に向かって横方向へスライドさせて開くことができるものである。この扉１２の裏側には収納籠１３が設けられており、扉１２を開くことで、扉１２と一体で収納籠１３が本体１１から便器１側へ横方向に移動されるものである。
便器１に着座したままの状態で、手を扉１２の裏側の収納籠１３に伸ばして、図５のように、収納籠１３の上面の蓋１３ａを開けて、収納籠１３内に生理用品等のゴミを入れることができ、収納籠１３は扉１２の裏側に隠蔽されているため、ゴミを子供やお客に見られることがなく、良好に隠蔽させておくことができる。
なお、この収納籠１３内にゴミが一杯になったような状態では、図６のように、収納籠１３を取り外して、内部のゴミを除去することができるものである。
【００１５】
収納キャビネット１０を構成する本体１１は、図７の正面図で、また図８の側面図で示すような構造となっている。
即ち、本体１１は、天板１１ａと、平行状に底側に底板１１ｂが配置され、左右には側板１１ｃ，１１ｄが平行状に縦方向に設けられて箱状に形成されており、内部には天板１１ａと平行状に棚板１１ｆが設けられ、棚板１１ｆから底板１１ｂに向かって縦方向に中仕切り１１ｇが設けられている。
【００１６】
なお、底板１１ｂおよび棚板１１ｆの左右両端にはダボ１６が突出されており、このダボ１６を左右の側板１１ｃ，１１ｄに嵌め込んで、ダボ１６，１６を介して組み立てられ、また、底板１１ｂ裏側のダボ１６は背板１１ｅに嵌め込まれており、底板１１ｂがダボ１６で強固に固定されたものとなっている。
なお、棚板１１ｆの下面には、横方向に間隔をおいて３個の突起１４，１４，１４が突出されている。
また、底板１１ｂの下面には、第１レール１５が取り付けられている。なお、図中Ｍは、中仕切り１１ｇの前面の隙間である。
【００１７】
このような本体１１の天板１１ａと棚板１１ｆ間には、第１収納空間Ｓ１が形成されており、また、棚板１１ｆと底板１１ｂと側板１１ｃと中仕切り１１ｇに囲まれた第２収納空間Ｓ２が形成されている。この第１収納空間Ｓ１，第２収納空間Ｓ２内には、例えばトイレットペーパーや生理用品等を収納しておくことができるものである。
本例の本体１１では、図示右側の側板１１ｄは棚板１１ｆの位置で切断されて切欠部Ｐが形成されており、切欠部Ｐの下方は右側面が開放されて中仕切り１１ｇの位置まで凹んだ空間を形成しており、この空間内に収納籠１３を出し入れ可能に収納できるものであり、この空間が籠収納部Ｓ３となっている。
【００１８】
次に、本体１１の前面で横方向へスライド移動させて開閉できる扉１２は、本体１１の前面全域を覆うことのできる面積の扉１２の図示右端に扉側板１２ａが一体状に立ち上げ形成されており、この扉側板１２ａは、本体１１の側板１１ｄの下端位置まで立ち上がる寸法に設定されており、扉１２が閉じられた時には、本体の側板１１ｄと、この扉側板１２ａが面一状に立設状態となり、籠収納部Ｓ３の右側面がこの扉側板１２ａで閉じられるものであり、閉じた状態では、この扉側板１２ａは本体１１の右側の側板の一部となるものである。
【００１９】
また、扉１２の下端には、本体１１の底板１１ｂの下方へ水平に延びて底板１１ｂと平行状をなす扉底板１２ｂが一体形成されている。
この扉底板１２ｂの上面には、第２レール１７が設けられており、この第２レール１７が、本体１１の底板１１ｂに設けられている第１レール１５とスライド可能に連結されるものであり、第１レール１５と第２レール１７の連結により、このレール１５，１７を介して横方向に扉１２をスライド移動させることができるものである。なお、図中Ｍは、中仕切り１１ｇの前面と扉１２間の隙間である
また、扉１２の裏側には、所定の横長寸法を有する振れ止め金具１９がビス１８で横方向に取り付けられている。この振れ止め金具１９は、図１１の拡大断面構成図で示す。
【００２０】
この振れ止め金具１９は、本体の棚板１１ｆの下面に突出されている突起１４，１４，１４に係合できるものであり、振れ止め金具１９は、ビス１８で扉１２の裏面に固定される固定片１９ａの上端から背板１１ｅ側へ略水平に延びる水平片１９ｂを有し、水平片１９ｂの先端で上方へ立ち上げて係合片１９ｃが一体形成されており、この係合片１９ｃが突起１４の裏側に係合するものである。
従って、複数の突起１４，１４に係合片１９ｃが係合することで、扉１２の前側への倒れが防止され、かつ扉１２の前後方向の振れが防止されて、扉１２をスムーズに横方向へスライドさせて本体１１に対し開閉できるように構成されている。
【００２１】
この扉１２の扉側板１２ａの内側に、公知の瓢箪形状の金具等を用いて着脱可能に収納籠１３の背面が取り付けられている。
収納籠１３は、その上面が開口され、開口には蓋１３ａが設けられており、蓋１３ａは軸１３ｂを中心として図９のように本体１１側へ回転させて開けることができるものであり、蓋１３ａの上面には手で摘むことのできるツマミ１３ｃが設けられている。
なお、扉１２の扉側板１２ａの外面には、突出状にノブ２０が設けられており、このノブ２０を手で持ち、横方向へ引っ張ることで、良好にレール１５，１７を介して扉１２が横方向へ本体１１から引き出されるものである。
【００２２】
従って、便器１に着座した状態のままでノブ２０を手で持ち、カウンター３側へ扉１２を引っ張って良好に横方向へスライド移動させて開けることができ、この扉１２を開けた状態では、本体１１から収納籠１３が引き出された状態となり、便器１に座ったまま扉側板１２ａの上方側から容易に手を伸ばしてツマミ１３ｃを指で摘んで、蓋１３ａを開けて、収納籠１３内に生理用品等のゴミを投入することができ、便器１に座ったままの状態で良好に生理用品等のゴミの始末をすることができるものである。しかも、収納籠１３は扉１２の裏側に隠蔽されているため前面から見えることはなく、扉１２を開けた状態でも収納籠１３内のゴミを子供やお客に見られることはない。
さらに扉１２を本体１１に対し閉じた状態にしておけば、収納籠１３は本体１１内の籠収納部Ｓ３内に収納されて完全に隠蔽されるため、子供やお客は収納籠１３の存在すら判らないものとなり、良好にゴミを隠すことができるものとなる。
【００２３】
なお、本例では、本体の底板１１ｂの底側に扉底板１２ｂが配置されており、レール１５，１７は隠蔽された状態となっており、レール１５，１７は見えないために、すっきりとした設置状態が得られ、収納キャビネット１０の意匠性が向上して、見栄えが良好なものとなる。
【図面の簡単な説明】
【００２４】
【図１】トイレ内に設置された収納キャビネットの配置構成図である。
【図２】収納キャビネットの使用状態の拡大斜視構成図である。
【図３】収納キャビネットの扉を閉じた状態の斜視構成図である。
【図４】扉を開けた状態の収納キャビネットの斜視構成図である。
【図５】扉を開けた状態で更に裏側の収納籠の蓋を開けた使用状態の斜視構成図である。
【図６】更に収納籠を扉から取り外した状態の斜視構成図である。
【図７】収納キャビネットの本体の正面構成図である。
【図８】本体の側面構成図である。
【図９】本体に取り付けた扉の透視正面図である。
【図１０】図９のＡ−Ａ線断面構成図である。
【図１１】突起と振れ止め金具の係合状態の拡大断面構成図である。
【符号の説明】
【００２５】
１  便器
４  カウンター
６  手洗いキャビネット
６ａ  ケコミ
７  手洗い器
１０  収納キャビネット
１１  本体
１１ａ  天板
１１ｂ  底板
１１ｃ，１１ｄ  側板
１１ｅ  背板
１１ｆ  棚板
１１ｇ  中仕切り
１２  扉
１２ａ  扉側板
１２ｂ  扉底板
１３  収納籠
１３ａ  蓋
１３ｂ  軸
１３ｃ  ツマミ
１４  突起
１５  第１レール
１７  第２レール
１９  振れ止め金具
１９ｃ  係合片
Ｐ  切欠部
Ｗａ，Ｗｂ  壁面
【図１】
0004986833.tif 000002
【図２】
0004986833.tif 000003
【図３】
0004986833.tif 000004
【図４】
0004986833.tif 000005
【図５】
0004986833.tif 000006
【図６】
0004986833.tif 000007
【図７】
0004986833.tif 000008
【図８】
0004986833.tif 000009
【図９】
0004986833.tif 000010
【図１０】
0004986833.tif 000011
【図１１】
0004986833.tif 000012